(57)【要約】本発明は、無線通リンクを２台の通信装置（１，１１，２１）の間で確立するための方法に関する。まず、第２の通信装置（２１）にコンタクトするための第１のタイプの無線データ通信に従った通信信号が第１の通信装置（１１）から送信され、第２のタイプのデータ通信に従ったデータの送受信が可能な通信手段（４）が第１の通信装置（１１）内で起動される。通信信号の受信時に、第２のタイプのデータ通信に従ったデータの送受信が可能な通信手段（４）が第２の通信装置（２１）内で起動され、第２のタイプのデータ通信に従った通信リンクが確立される。
2006522512.tif 000002
【特許請求の範囲】
【請求項１】
２台の通信装置（１，１１，２１）の間で無線通信リンクを確立するための方法であって、
ａ）第１の通信装置（１１）から第１のタイプの無線データ通信に従った通信信号を送信し、第２の通信装置（２１）にコンタクトする工程と、
ｂ）前記第１の通信装置（１１）において、第２のタイプのデータ通信に従ったデータの送受信が可能な通信手段（４）を始動させる工程と、
ｃ）前記第２の通信装置（２１）において、前記通信信号の受信時に、前記第２のタイプのデータ通信に従ったデータの送受信が可能な通信手段（４）を始動させる工程と、
ｄ）前記２台の通信装置（１１、２１）の通信手段（４）の間で、前記第２のタイプのデータ通信に従った通信リンクを確立する工程と
を備えることを特徴とする方法。
【請求項２】
前記第２のデータ通信に従った前記通信リンクの確立の後、前記工程ａ）において送信された前記通信信号は、前記第２の通信装置（２１）によって拒絶されることを特徴とする請求項１に記載の方法。
【請求項３】
前記第２のタイプのデータ通信に従った通信リンクを所定時間内に確立できなかった場合に、前記第１のタイプのデータ通信に従った通信リンクが確立されることを特徴とする請求項１又は２に記載の方法。
【請求項４】
前記第２のタイプのデータ通信に従った通信リンクを所定時間内に確立できなかった場合に、前記第２のタイプのデータ通信の為の前記通信手段（４）は停止されることを特徴とする請求項３に記載の方法。
【請求項５】
前記２台の通信装置（１，１１，２１）のうちの少なくとも１台において、確立された通信リンクのタイプが表示されることを特徴とする請求項１乃至４のいずれかに記載の方法。
【請求項６】
少なくとも前記第２の通信装置（２１）は、前記第２のタイプのデータ通信により前記第１の通信装置（１１）にコンタクトするための格納された情報を備えることを特徴とする請求項１乃至５のいずれかに記載の方法。
【請求項７】
前記工程ａ）において送信された前記通信信号は、前記第２のタイプのデータ通信により前記第１の通信装置（１１）にコンタクトするための識別情報を備えることを特徴とする請求項１乃至５のいずれかに記載の方法。
【請求項８】
前記第１の通信装置（１１）は、前記工程ａ）において前記第１のタイプの無線データ通信に応じた通信信号を同時に送信しつつ、第２のタイプのデータ通信を介して前記第２の通信装置（２１）にコンタクトを試みることを特徴とする請求項１乃至７のいずれかに記載の方法。
【請求項９】
通信装置（１，１１，２１）の両方は、移動体通信端末であることを特徴とする請求項１乃至８のいずれかに記載の方法。
【請求項１０】
通信装置（１，１１，２１）の両方は、携帯電話機であることを特徴とする請求項９に記載の方法。
【請求項１１】
前記工程ａ）において送信される信号は、ＧＳＭ信号であることを特徴とする請求項１乃至１０のいずれかに記載の方法。
【請求項１２】
前記第２のタイプのデータ通信に従った前記通信リンクは、ブルートゥース音声リンクであることを特徴とする請求項１乃至１１のいずれかに記載の方法。
【請求項１３】
無線通信装置（１，１１，２１）であって、
第１のタイプのデータ通信に従った通信信号を送受信する第１の通信手段（３）と、
第２のタイプのデータ通信に従った通信信号を送受信する第２の通信手段（４）とを備え、
前記第２のタイプのデータ通信に従った通信リンクを他の通信装置（１，１１，２１）と確立するために前記通信装置（１，１１，２１）は更に、前記第１のタイプのデータ通信に従った通信信号が、前記通信装置（１，１１，２１）から送信された場合、或いは、前記通信装置（１，１１，２１）により受信された場合に、前記第２の通信手段（４）を始動させる制御手段（５）を備えることを特徴とする無線通信装置。
【請求項１４】
前記第２のデータ通信に従った前記通信リンクを他の通信装置（１，１１，２１）と確立した後、前記第１の通信手段（３）は停止されることを特徴とする請求項１３に記載の無線通信装置。
【請求項１５】
前記第２のタイプのデータ通信に従った通信リンクを所定時間内に確立できなかった場合に、前記制御手段（５）は前記第２の通信手段（４）を自動的に停止するように適合されていることを特徴とする請求項１４に記載の無線通信装置。
【請求項１６】
確立された通信リンクのタイプを表示する表示手段（７）を更に備えることを特徴とする請求項１３乃至１５のいずれかに記載の無線通信装置。
【請求項１７】
他の通信装置（１，１１、２１）に前記第２のタイプのデータ通信によりコンタクトするための識別情報を含む格納手段（６、６ｂ）を更に備えることを特徴とする請求項１３乃至１６のいずれかに記載の無線通信装置。
【請求項１８】
前記第２のタイプのデータ通信により自身にコンタクトするための識別情報を含む格納手段（６、６ｂ）を更に備え、前記識別情報は、前記第１のタイプのデータ通信に従った通信信号を介して送信されることを特徴とする請求項１３乃至１６のいずれかに記載の無線通信装置。
【請求項１９】
前記通信装置（１，１１，２１）は、移動体通信端末であることを特徴とする請求項１３乃至１８のいずれかに記載の無線通信装置。
【請求項２０】
前記通信装置（１，１１，２１）は、携帯電話機であることを特徴とする請求項１９に記載の無線通信装置。
【請求項２１】
前記第１の通信信号は、ＧＳＭ信号であることを特徴とする請求項１３乃至２０のいずれかに記載の無線通信装置。
【請求項２２】
前記第２のタイプのデータ通信に従った前記通信リンクは、ブルートゥース音声リンクであることを特徴とする請求項１３乃至２１のいずれかに記載の無線通信装置。
【請求項２３】
請求項１３乃至２１のいずれかに記載の通信装置（１，１１，２１）を少なくとも２台備えることを特徴とする無線通信システム。
【請求項２４】
前記第１のタイプのデータ通信に従った通信リンクは、前記第２のタイプのデータ通信に従った通信リンクを所定時間内に確立できない場合に、２台の前記通信装置（１，１１，２１）の間において確立されることを特徴とする請求項２３に記載の無線通信システム。
【発明の詳細な説明】
【技術分野】
【０００１】
本発明は、２台の通信装置の間で無線通信リンクを確立する方法に関する。より詳細には、本発明は、無線セルラー通信システム、例えば、ＧＳＭやＵＭＴＳシステムにおける２台の移動体端末の間でブルートゥース（登録商標）音声リンクを確立する方法に関する。移動体端末は、例えば移動体携帯電話機、ＰＤＡ、或いは、これらに類するものである。
【背景技術】
【０００２】
通信データを無線により交換するために電子デバイスを接続する方法には、異なるものが数多く存在する。近年では、ＧＳＭネットワークは、少なくとも一つの移動体端末と他の通信装置との間における音声通信のために広く利用されている。将来は、データ転送速度を各段に高速化可能なＵＭＴＳネットワークが利用可能となるであろう。
【０００３】
無線データ通信のための技術において最も興味深いものの一つは、近年開発された、いわゆるブルートゥース（bluetooth）技術である。ブルートゥースは、電子製品の製造者グループにより整備された国際的な標準であり、これにより、あらゆる種類の電子的装置、例えばコンピュータ、携帯電話機、キーボード、或いは、ヘッドフォンは、自身の無線データ接続を確立することが可能となる。それは、ＩＳＭ（industrial, scientific and medical）装置についての利用に関する国際的合意により取り分けられた２．４５ＧＨｚ周波数帯を利用した国際的な無線インタフェースである。
【０００４】
ブルートゥースが提供する可能性の一つは、２台の移動体端末が相互接続し、この通信リンクを音声情報を伝送するために利用することができる点である。これにより、これらの端末は送受信兼用無線機(two-way radios)として機能することが可能となる。そのようなブルートゥースリンクは、ＧＳＭネットワークのような通信ネットワークを必要としないので、ブルートゥース技術を利用したデータ通信は、移動体電話ネットワークを利用する場合に比べ、非常に低額なものとなるであろう。
【０００５】
しかしながら、ブルートゥースリンクを確立するためには、呼び出された通信装置が、いわゆるディスカバラブル／コネクタブル（Discoverable/Connectable）モードであることが必要となる。このモードは、通信装置が他のブルートゥース装置からの信号を受信可能な状態をいう。通信装置は、ブルートゥース標準に従った通信リンクがいつ確立されるべきかを知らないので、常にディスカバラブル／コネクタブル・モードでなければならず、携帯通信装置の待ち受け時間を大きく損なうことになるかもしれない。更に、通信装置を常にディスカバラブル／コネクタブル・モードにおくことは、安全性の理由からも推奨できるものではない。
【０００６】
特許文献１は、電話通信システムの動作方法を開示する。該システムでは、ＧＳＭ通信データを送受信する移動体通信装置が、固定局からのブルートゥース信号の受信時に、該固定局へブルートゥース信号を送信することにより受信したブルートゥース信号に応答する。この方法によれば、ブルートゥースリンクを確立できれば、ＧＳＭ通信から固定局とのブルートゥース通信に切り換えることができる。しかしながら、この方法では、固定局は常にブルートゥース信号を送信しなければならず、携帯通信装置は常にディスカバラブル／コネクタブル・モードでなければならない。
【特許文献１】米国特許出願公開第２００２／００９４８０１Ａ１号
【発明の開示】
【発明が解決しようとする課題】
【０００７】
そこで、本発明は、上述の問題を解消するような無線通信リンク、好ましくはブルートゥースリンク、を確立するための方法を提供することを目的とする。
本発明によれば、無線通信リンクを２台の通信装置の間で確立するための方法は、以下の工程を備える。ａ）第１の通信装置（１１）から第１のタイプの無線データ通信に従った通信信号を送信し、第２の通信装置（２１）にコンタクトする工程と、ｂ）第１の通信装置（１１）において、第２のタイプのデータ通信に従ったデータの送受信が可能な通信手段（４）を始動させる工程と、ｃ）第２の通信装置（２１）において、通信信号の受信時に、第２のタイプのデータ通信に従ったデータの送受信が可能な通信手段（４）を始動させる工程と、ｄ）２台の通信装置（１１、２１）の通信手段（４）の間で、第２のタイプのデータ通信に従った通信リンクを確立する工程とを備える。
【０００８】
本発明の好適な実施形態において、第１の通信信号は、無線セルラー通信システムの信号、例えばＧＳＭ信号であり、第２のタイプのデータ通信は、ブルートゥースリンクである。
【０００９】
本発明に対応する方法では、第２のタイプのデータ通信、例えばブルートゥースリンクに従った所望の通信リンクの確立は、第１のタイプのデータ通信に従った通信リンク、例えばＧＳＭネットワークを介したリンクに起因するものである。それ故に、所望のブルートゥースリンクの確立は、基本的には、典型的なＧＳＭ呼のように扱われ、ブルートゥース通信の為の構成要素を常に動作状態においておく必要はない。言い換えれば、ブルートゥース通信のための通信手段は、ブルートゥース通信が求められる場合にのみ起動されることになる。このようにしてブルートゥース通信の為の電力を最小に抑えることができるので、携帯通信装置の待ち受け時間を大きく延長することができる。
【００１０】
本発明の好適な実施形態によれば、第２の通信装置とコンタクトするための第１の通信信号は、第２のタイプのデータ通信に従った所望の通信リンクを確立できた場合には、第２の通信装置により拒絶される。しかしながら、例えば、２台の通信装置間の距離が遠すぎる等の理由により、第２の通信リンクを確立できなかった場合には、２台の装置間における通信は第１の通信リンクを介して継続される。第２のタイプのデータ通信のための構成要素は、電力をセーブするために停止される。
【００１１】
好ましくは、２台の通信装置の間で確立された通信リンクのタイプは、２台の装置において表示される。
【００１２】
所望の第２のタイプの通信リンクの確立は、第２のタイプのデータ通信を介して他の通信装置にコンタクトするための識別情報が利用可能な場合は、より迅速化できる。それゆえに、本発明の好適な実施形態においては、各通信装置は、そのような識別情報を格納するための格納手段を備える。本発明の他の実施形態によれば、要求される識別情報は、他の通信装置にコンタクトする際に第１の通信信号を介して送信される。
【００１３】
本発明はまた、無線通信装置に関する。該装置は、第１のタイプのデータ通信に従った通信信号を送受信する第１の通信手段（３）と、第２のタイプのデータ通信に従った通信信号を送受信する第２の通信手段（４）とを備える。また、第２のタイプのデータ通信に従った通信リンクを他の通信装置（１，１１，２１）と確立するために通信装置（１，１１，２１）は更に、第１のタイプのデータ通信に従った通信信号が、通信装置（１，１１，２１）から送信された場合、或いは、通信装置（１，１１，２１）により受信された場合に、第２の通信手段（４）を始動させる制御手段（５）を備える。本発明は更に、そのような通信装置を少なくとも２台備える無線通信システムに関する。
【００１４】
本発明の更なる利点、特徴、及び詳細は、添付する図面と関連して好適な実施形態に関する以下の記述から明らかとなるであろう。
【発明を実施するための最良の形態】
【００１５】
携帯電話機１は、まず、無線通信信号を送受信するためのアンテナ２を備える。本発明によれば、携帯電話機１は、２つの異なるタイプのデータ通信ための通信信号を送受信することができる。よって、携帯電話機１は、第１のタイプのデータ通信に従った通信信号を送受信する第１の通信手段３と、第２のタイプのデータ通信に従った通信信号を送受信する第２の通信手段４とを備える。通信手段３及び４の双方は、各通信リンクが確立された場合にアンテナ２に接続されて通信信号を交換する。また、通信手段３及び４をそれぞれのアンテナに接続することもできる。この場合には、２つのアンテナが提供されることとなる。
【００１６】
第１及び第２の通信手段３及び４は更に、制御手段５に接続される。この制御手段５は、確立されるべき通信リンクの種類に応じて通信手段３、４を動作させたり、動作を停止させたりする。この制御手段５は更に、格納手段６と接続される。格納手段６には、他の通信装置にコンタクトするための識別情報が格納される。
【００１７】
好ましくは、格納手段６に含まれる情報は、第１の通信手段３及び第２の通信手段４を介して他の装置にコンタクトするための識別情報を備える。ゆえに、図１に示すように、格納手段６は２つのメモリー６ａ及び６ｂに分割される。ここで、メモリー６ａは、第１の通信手段３を介して他の通信装置にコンタクトするための識別情報を含む。また、第２のメモリー６ｂは、第２の通信手段４の為の識別情報を備える。図１に示されるような携帯電話機では、メモリー６ａは典型的な電話帳（typical phone book）である。好ましくは、メモリー６ａに格納されている各情報は、メモリー６ｂに格納されている第２の情報に割り当てられる。よって、格納手段６は、コンタクトされるべき通信装置のそれぞれについて、第１のタイプのデータ通信及び第２のタイプのデータ通信に関する識別情報を備えている。
【００１８】
図２は、本発明の第１の実施形態に対応する、通信リンクを確立するための方法を示す。本実施形態において、第１のタイプのデータ通信とはＧＳＭ移動体ネットワークを介した通信のことであり、第２のタイプのデータ通信とはブルートゥース通信のことである。しかしながら、本発明がＧＳＭ及びブルートゥース通信に関するものに限定されない点については、留意されたい。例えば、第１の通信手段は、ＵＭＴＳネットワークや移動体通信のための他のあらゆるセルラーネットワークを介して通信可能であってもよい。また、第２のタイプのデータ通信は、直接的な無線リンクを２台の装置間に提供するものであればどのようなものであってもよい。更に、リンクされる２台の通信装置は、如何なる種類の無線通信装置であってもよい。
【００１９】
図２において、ブルートゥースリンクは、第１の携帯電話機１１と、該電話機１１のブルートゥース通信範囲内に位置する第２の携帯電話機２１との間で確立されなければならない。このような本発明の第１の実施形態では、移動体電話機１１及び２１の両方は、ブルートゥースリンクを介して通信データを頻繁に交換し合うので、互いに所謂ペアとなる。ペアリング処理の結果、他の通信装置それぞれの識別情報−即ち装置名、パスキー（path key）、４８ビットブルートゥースＩＤ−は、携帯電話機１１及び２１の各メモリー６ｂに格納されることとなる。更に、メモリー６ａには、他の携帯電話機のＧＳＭ番号が格納される。ここで、ＧＳＭ番号及びブルートゥース識別情報はペアを構成する。
【００２０】
まず、電話機１１、２１双方のブルートゥースインタフェースは、動作が停止される。所望のブルートゥースリンクを電話機２１との間で確立するために、第１の電話機１１のユーザは、最初のステップにおいて第２の電話機２１のＧＳＭ番号をダイヤルして、ＧＳＭネットワークを介して他の電話機２１にコンタクトする。このとき、制御手段５は自動的に第２の通信手段４を動作させ、電話機１１のブルートゥースインタフェースをディスカバラブル／コネクタブル・モードに切り換える。これにより、電話機１１はブルートゥースリンクを確立できるようになる。
【００２１】
第２の電話機２１がＧＳＭネットワークから呼を着信すると、制御手段５は、電話機１１がブルートゥースパートナーであるかどうか、即ち、ブルートゥース識別情報が電話機１１のＧＳＭ番号と関連づけられてメモリー６ｂに格納されているかどうかを確認するために格納手段６をリードする。この例では、電話機２１の両方のメモリー６ａ及び６ｂには、電話機１１に関する識別情報が含まれているので、電話機２１の制御手段５は、通信手段４をブルートゥース通信のために起動し、格納されたブルートゥース識別番号を有する通信装置を発見するため、即ち、ブルートゥースを介して電話機１１とコンタクトするために、ページングモードを起動してブルートゥース接続を開始する。
【００２２】
電話機２１が電話機１１を、そのブルートゥース通信範囲内において発見し、ブルートゥースリンクを確立できた場合、電話機１１から到来しているＧＳＭ呼は、電話機２１により自動的に拒絶される。結果として、電話機１１及び２１の両方は、ブルートゥースリンクによって接続されるだけとなり、送受信兼用無線機として動作することができる。電話機１１及び２１が備えるディスプレイ７上には、通信パートナーとの接続がブルートゥースを介して確保され、これにより完全に無料となった旨が表示される。
【００２３】
電話機２１が、例えば、距離が遠すぎるといった理由により、電話機１１とブルートゥースを介してコンタクトできない場合、電話機１１、２１の両方の間における呼は、通常のＧＳＭ呼として扱われるであろう。両方の電話機は、自動的にブルートゥース通信手段４をスイッチオフし、消費電力をセーブする。好ましくは、ブルートゥースインタフェースの停止は、もし、電話機１１が電話機２１にＧＳＭ呼を介してコンタクトした後所定の期間内にブルートゥースリンクを確立できなかった場合に行われても良い。
【００２４】
幾つかのケースでは、第２の通信装置、ここでは電話機２１が、既にディスカバラブル／コネクタブル・モードである可能性もある。その場合、第１の電話機１１が、−ＧＳＭ呼を同時に送信しつつ、−第２の電話機にブルートゥースを介してコンタクトを試みることにより、所望のブルートゥースリンクを迅速に確立することができる。もし、第２の電話機２１が現実にディスカバラブル／コネクタブル・モードにある場合、ＧＳＭを介した第２の電話機２１への最初のコンタクトの必要もなく、ブルートゥースリンクを直ちに確立することができる。しかしながら、もし、電話機２１のブルートゥース通信手段の起動が停止しており、それにより第１の電話機１１が第２の電話機２１にブルートゥースを介してコンタクトできない場合には、上述のステップに従ってリンクが確立される。
【００２５】
図３は、図２に示した手順の変形例を示す。この例では、電話機１１及び２１は互いにペアとなっていない。電話機１１は、ＧＳＭ呼により通信を開始し、ＧＳＭネットワークを介して電話機２１にコンタクトする。これに加えて、ブルートゥース通信手段４は自動的に起動され、ディスカバラブル／コネクタブル・モードにおかれる。
【００２６】
電話機２１に、ブルートゥースリンクを介した電話機１１へのコンタクトを許可するために、電話機１１から電話機２１へＧＳＭネットワークを介して識別情報が送信される。例として、ブルートゥース識別番号の最後の６桁の数字をＧＳＭ呼を介して送信することができる。
【００２７】
ＧＳＭ呼の受信後、電話機２１は、受信した識別情報に従った識別番号を有するブルートゥース装置を、その通信範囲において発見するために、ブルートゥース通信手段を起動し、所謂ブルートゥース・インクワイヤリィ（bluetooth inquiry）及びネーム・ディスカバリ（name discovery）を開始する。
【００２８】
電話機２１が電話機１１を発見し、ブルートゥース接続を確立できた場合、電話機１１のＧＳＭ呼は、電話機２１の制御手段により自動的に拒絶される。ここで再度、電話機１１及び２１の両方は、ブルートゥースリンクを介して接続されるだけとなり、送受信兼用無線機として動作する。ブルートゥースリンクの確立に失敗した場合には、電話機１１と２１との間の呼は通常のＧＳＭ呼として扱われるであろう。確立された通信リンクのタイプは、双方のディスプレイ７に再度表示される。
【００２９】
この第２の実施形態では、両方の通信装置をペアとする必要はない。しかしながら、インクワイヤリィ及びネーム・ディスカバリモードでは、ブルートゥースを介してパートナーとコンタクトするために、より多くの時間を要する。
【００３０】
両方の例から分かるように、電話機１１、２１の両方のブルートゥースインタフェースは、電話機１１が電話機２１にコンタクト使用とした時にのみ起動される。ブルートゥースリンクは、ＧＳＭネットワークがきっかけとなるので、ブルートゥース通信手段４に対するエネルギーは抑制され、電話機の待機時間を顕著に増加することができる。
【図面の簡単な説明】
【００３１】
【図１】本発明に対応する無線通信装置の概略図である。
【図２】本発明に対応する、通信リンクを確立するための第１の実施形態を示す。
【図３】本発明に対応する、通信リンクを確立するための第２の実施形態を示す。
【図１】
2006522512.tif 000003
【図２】
2006522512.tif 000004
【図３】
2006522512.tif 000005
【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
２台の通信装置（１，１１，２１）の間で無線通信リンクを確立するための方法であって、
ａ）第１の通信装置（１１）から移動体通信の為のセルラーネットワークに基づく第１のタイプの無線データ通信に従った通信信号を送信し、第２の通信装置（２１）にコンタクトする工程と、
ｂ）前記第１の通信装置（１１）において、前記２台の通信装置の間でダイレクトリンクを提供する第２のタイプのデータ通信に従ったデータの送受信が可能な通信手段（４）を始動させる工程と、
ｃ）前記第２の通信装置（２１）において、前記通信信号の受信時に、前記第２のタイプのデータ通信に従ったデータの送受信が可能な通信手段（４）を始動させる工程と、
ｄ）前記２台の通信装置（１１、２１）の通信手段（４）の間で、前記第２のタイプのデータ通信に従った通信リンクを確立する工程と
を備えることを特徴とする方法。
【請求項２】
前記第２のデータ通信に従った前記通信リンクの確立の後、前記工程ａ）において送信された前記通信信号は、前記第２の通信装置（２１）によって拒絶されることを特徴とする請求項１に記載の方法。
【請求項３】
前記第２のタイプのデータ通信に従った通信リンクを所定時間内に確立できなかった場合に、前記第１のタイプのデータ通信に従った通信リンクが確立されることを特徴とする請求項１又は２に記載の方法。
【請求項４】
前記第２のタイプのデータ通信に従った通信リンクを所定時間内に確立できなかった場合に、前記第２のタイプのデータ通信の為の前記通信手段（４）は停止されることを特徴とする請求項３に記載の方法。
【請求項５】
前記２台の通信装置（１，１１，２１）のうちの少なくとも１台において、確立された通信リンクのタイプが表示されることを特徴とする請求項１乃至４のいずれかに記載の方法。
【請求項６】
少なくとも前記第２の通信装置（２１）は、前記第２のタイプのデータ通信により前記第１の通信装置（１１）にコンタクトするための格納された情報を備えることを特徴とする請求項１乃至５のいずれかに記載の方法。
【請求項７】
前記工程ａ）において送信された前記通信信号は、前記第２のタイプのデータ通信により前記第１の通信装置（１１）にコンタクトするための識別情報を備えることを特徴とする請求項１乃至５のいずれかに記載の方法。
【請求項８】
前記第１の通信装置（１１）は、前記工程ａ）において前記第１のタイプの無線データ通信に応じた通信信号を同時に送信しつつ、第２のタイプのデータ通信を介して前記第２の通信装置（２１）にコンタクトを試みることを特徴とする請求項１乃至７のいずれかに記載の方法。
【請求項９】
通信装置（１，１１，２１）の両方は、移動体通信端末であることを特徴とする請求項１乃至８のいずれかに記載の方法。
【請求項１０】
通信装置（１，１１，２１）の両方は、携帯電話機であることを特徴とする請求項９に記載の方法。
【請求項１１】
前記工程ａ）において送信される信号は、ＧＳＭ信号であることを特徴とする請求項１乃至１０のいずれかに記載の方法。
【請求項１２】
前記第２のタイプのデータ通信に従った前記通信リンクは、ブルートゥース音声リンクであることを特徴とする請求項１乃至１１のいずれかに記載の方法。
【請求項１３】
無線通信装置（１，１１，２１）であって、
移動体通信の為のセルラーネットワークに基づく第１のタイプのデータ通信に従った通信信号を送受信する第１の通信手段（３）と、
前記２台の通信装置の間でダイレクトリンクを提供する第２のタイプのデータ通信に従った通信信号を送受信する第２の通信手段（４）とを備え、
前記第２のタイプのデータ通信に従った通信リンクを他の通信装置（１，１１，２１）と確立するために前記通信装置（１，１１，２１）は更に、前記第１のタイプのデータ通信に従った通信信号が、前記通信装置（１，１１，２１）から送信された場合、或いは、前記通信装置（１，１１，２１）により受信された場合に、前記第２の通信手段（４）を始動させる制御手段（５）を備えることを特徴とする無線通信装置。
【請求項１４】
前記第２のデータ通信に従った前記通信リンクを他の通信装置（１，１１，２１）と確立した後、前記第１の通信手段（３）は停止されることを特徴とする請求項１３に記載の無線通信装置。
【請求項１５】
前記第２のタイプのデータ通信に従った通信リンクを所定時間内に確立できなかった場合に、前記制御手段（５）は前記第２の通信手段（４）を自動的に停止するように適合されていることを特徴とする請求項１４に記載の無線通信装置。
【請求項１６】
確立された通信リンクのタイプを表示する表示手段（７）を更に備えることを特徴とする請求項１３乃至１５のいずれかに記載の無線通信装置。
【請求項１７】
他の通信装置（１，１１、２１）に前記第２のタイプのデータ通信によりコンタクトするための識別情報を含む格納手段（６、６ｂ）を更に備えることを特徴とする請求項１３乃至１６のいずれかに記載の無線通信装置。
【請求項１８】
前記第２のタイプのデータ通信により自身にコンタクトするための識別情報を含む格納手段（６、６ｂ）を更に備え、前記識別情報は、前記第１のタイプのデータ通信に従った通信信号を介して送信されることを特徴とする請求項１３乃至１６のいずれかに記載の無線通信装置。
【請求項１９】
前記通信装置（１，１１，２１）は、移動体通信端末であることを特徴とする請求項１３乃至１８のいずれかに記載の無線通信装置。
【請求項２０】
前記通信装置（１，１１，２１）は、携帯電話機であることを特徴とする請求項１９に記載の無線通信装置。
【請求項２１】
前記第１の通信信号は、ＧＳＭ信号であることを特徴とする請求項１３乃至２０のいずれかに記載の無線通信装置。
【請求項２２】
前記第２のタイプのデータ通信に従った前記通信リンクは、ブルートゥース音声リンクであることを特徴とする請求項１３乃至２１のいずれかに記載の無線通信装置。
【請求項２３】
請求項１３乃至２１のいずれかに記載の通信装置（１，１１，２１）を少なくとも２台備えることを特徴とする無線通信システム。
【請求項２４】
前記第１のタイプのデータ通信に従った通信リンクは、前記第２のタイプのデータ通信に従った通信リンクを所定時間内に確立できない場合に、２台の前記通信装置（１，１１，２１）の間において確立されることを特徴とする請求項２３に記載の無線通信システム。
【国際調査報告】
2006522512.tif 000006
2006522512.tif 000007
2006522512.tif 000008